(57)【要約】【課題】ＳＴＢ自動録画機能を備えた録画再生装置に係り、ＳＴＢから送信されるＲ／Ｃ信号による録画再生装置の誤動作を防ぐとともに、ＳＴＢ自動録画機能のさらなる利便性をはかる。【解決手段】録画再生装置１が受信したＲ／Ｃ信号が、ＳＴＢ９０から送信されてきたＲ／Ｃ信号か、ユーザが操作したＲ／Ｃ信号かを判別して、ＳＴＢ自動録画待機状態以外の録画／再生部１０では、ＳＴＢ９０からのＲ／Ｃ信号を無効とする。【選択図】  図２
2004236197.tif 000002
【特許請求の範囲】
【請求項１】
外部機器からの映像音響信号が入力される外部入力端子と、映像音響信号を記録媒体に記録するとともに、記録媒体に記録された映像音響信号を再生する録画／再生部と、
該録画／再生部によって再生された映像音響信号を出力機器に出力する出力端子と、
遠隔操作部及び前記外部機器から発信されるＲ／Ｃコードを受信するＲ／Ｃ受信部と、
該Ｒ／Ｃ受信部によって受信されるＲ／Ｃコードに基づき、前記録画／再生部を作動制御する制御手段と
を装置本体に備えている録画／再生装置であって、
前記遠隔操作部に設けられ、前記録画／再生部を作動制御するためのＲ／Ｃコードに関して、前記外部機器から発信されるＲ／Ｃコードとデータ又はデータ形式を異ならせたＲ／Ｃコードを発信するＲ／Ｃコード発信手段と、
前記制御部に設けられ、前記遠隔操作部のＲ／Ｃコード発信手段からのＲ／Ｃコードに基づく前記録画／再生部の作動中、又は前記遠隔操作部のＲ／Ｃコード発信手段からのＲ／Ｃコードの受信待機状態では、前記外部機器からの少なくとも一部のＲ／Ｃコードに基づく前記録画／再生部の作動を規制する外部機器Ｒ／Ｃコード規制手段と
を備えていることを特徴とする録画／再生装置。
【請求項２】
前記外部機器Ｒ／Ｃコード規制手段は、前記遠隔操作部又は装置本体に備えられた外部機器自動録画設定手段によって前記外部機器からの映像音響信号の自動録画状態が設定されている場合は、前記外部機器からの少なくとも一部のＲ／Ｃコードに基づく前記録画／再生部の作動を許容する
ことを特徴とする請求項１記載の録画／再生装置。
【請求項３】
外部機器からの映像音響信号が入力される外部入力端子と、映像音響信号を記録媒体に記録するとともに、記録媒体に記録された映像音響信号を再生する第１の録画／再生部と、
映像音響信号を該第１の録画／再生部と同一もしくは異なるメディア形式の記録媒体に記録するとともに、該第１の録画／再生部と同一もしくは異なるメディア形式の記録媒体に記録された映像音響信号を再生する第２の録画／再生部と、該第１又は第２の録画／再生部によって再生された映像音響信号を出力機器に出力する出力端子と、
遠隔操作部又は前記外部機器から発信されるＲ／Ｃコードを受信するＲ／Ｃ受信部と、
該Ｒ／Ｃ受信部によって受信されるＲ／Ｃコードに基づき、前記第１及び第２の録画／再生部を作動制御する制御手段と
を装置本体に備えている録画／再生装置であって、
前記遠隔操作部に設けられ、前記第１及び第２の録画／再生部を作動制御するためのＲ／Ｃコードに関して、前記外部機器から発信されるＲ／Ｃコードとデータ又はデータ形式を異ならせ、作動制御対象として前記第１又は第２の録画／再生部の中の一方を指定してＲ／Ｃコードを発信するＲ／Ｃコード発信手段と、
前記制御手段に設けられ、前記遠隔操作部から該Ｒ／Ｃコード発信手段によって作動制御対象が指定したＲ／Ｃコードが受信された場合は、作動制御対象として指定された録画／再生部のみを当該Ｒ／Ｃコードに基づき作動制御する選択作動制御手段と
を備えていることを特徴とする録画／再生装置。
【請求項４】
前記遠隔操作部又は装置本体に設けられ、前記第１及び第２の録画／再生部の中、前記外部機器からのＲ／Ｃコードに基づき作動させる録画／再生部を選択設定する録画／再生部設定手段と、
前記制御部に設けられ、該録画／再生部設定手段によって選択設定された一方の録画／再生部を前記外部機器からのＲ／Ｃコードに基づき作動させる一方、当該一方の録画／再生部が前記外部機器からのＲ／Ｃコードに基づく作動待機中又は作動中にある場合は、前記選択作動制御手段に基づく作動を規制する選択作動制御規制手段と
を備えていることを特徴とする請求項３記載の録画／再生装置。
【請求項５】
外部機器からの映像音響信号が入力される外部入力端子と、映像音響信号を記録媒体に記録するとともに、記録媒体に記録された映像音響信号を再生する録画／再生部と、
該録画／再生部によって再生された映像音響信号を出力機器に出力する出力端子と、
遠隔操作部又は前記外部機器から発信されるＲ／Ｃコードを受信するＲ／Ｃ受信部と、
該Ｒ／Ｃ受信部によって受信されるＲ／Ｃコードに基づき、前記録画／再生部を作動制御する制御手段と
を装置本体に備えてなる録画／再生装置であって、
前記遠隔操作部又は装置本体に備えられ、前記録画／再生部による前記外部機器からの映像音響信号の記録を前記制御手段にて設定する外部機器録画設定手段と、
前記制御手段に設けられ、該外部機器録画設定手段による前記外部機器録画設定状態においては、前記外部機器からのＲ／Ｃコードが指定する作動状態を前記録画／再生部の現在状態に応じて遷移させる指定作動状態遷移手段と
を備えていることを特徴とする録画／再生装置。
【請求項６】
外部機器からの映像音響信号が入力される外部入力端子と、映像音響信号を記録媒体に記録するとともに、記録媒体に記録された映像音響信号を再生する録画／再生部と、
該録画／再生部によって再生された映像音響信号を出力機器に出力する出力端子と、
遠隔操作部又は前記外部機器から発信されるＲ／Ｃコードを受信するＲ／Ｃ受信部と、
該Ｒ／Ｃ受信部によって受信されるＲ／Ｃコードに基づき、前記録画／再生部を作動制御する制御手段と
を装置本体に備えてなる録画／再生装置であって、
前記制御手段には、
前記遠隔操作部から発信されたＲ／Ｃコードに基づく前記録画／再生部の録画作動中、前記Ｒ／Ｃ受信部によって受信される外部機器から発信されたＲ／Ｃコードを記憶する外部機器Ｒ／Ｃコード記憶手段と、
前記遠隔操作部から発信されたＲ／Ｃコードに基づく前記録画／再生部の録画作動終了後、該外部機器Ｒ／Ｃコード記憶手段に記憶されている外部機器から発信されたＲ／Ｃコードに基づく前記録画／再生部の作動制御を開始させる遅延開始手段と
を備えていることを特徴とする録画／再生装置。
【請求項７】
前記外部機器Ｒ／Ｃコード記憶手段は、前記遠隔操作部から発信されたＲ／Ｃコードに基づく前記録画／再生部の録画作動中、前記Ｒ／Ｃ受信部によって受信される外部機器から発信された最新のＲ／Ｃコードを記憶する
ことを特徴とする請求項６記載の録画／再生装置。
【請求項８】
前記遅延開始手段は、前記外部機器Ｒ／Ｃコード記憶手段に記憶された最新のＲ／Ｃコードが前記録画／再生部の録画停止を指示するＲ／Ｃコードである場合は、前記録画／再生部を録画一時停止状態に作動制御する
ことを特徴とする請求項７記載の録画／再生装置。
【請求項９】
前記外部機器Ｒ／Ｃコード記憶手段に、外部機器から発信された前記録画／再生部の録画開始を指示するＲ／Ｃコードが記憶された場合は、当該外部機器からのＲ／Ｃコードに基づく自動録画予定を、遠隔操作部又は装置本体に備えられた表示器に表示させる表示制御手段
を備えていることを特徴とする請求項６〜８記載の録画／再生装置。
【発明の詳細な説明】
【０００１】
【発明の属する技術分野】
本発明は、外部機器から出力されるＲ／Ｃ信号に基づき、外部機器から供給される映像音響信号を記録媒体に自動録画することができる録画再生装置に関するものである。
【０００２】
【従来の技術】
従来、例えばＢＳ（Ｂｒｏａｄｃａｓｔｉｎｇ  Ｓａｔｅｌｌｉｔｅ）チューナ，ＣＳ（Ｃｏｍｍｕｎｉｃａｔｉｏｎ  Ｓａｔｅｌｌｉｔｅ）チューナ等といった、外部機器としてのセットトップボックス（以下、ＳＴＢと略称する）から出力される映像音響信号を、当該ＳＴＢから別途出力されるＲ／Ｃ信号（リモコンコード信号）に基づいて、記録媒体（メディア）に自動録画することができる、いわゆるＳＴＢ自動録画機能を備えた録画再生装置が知られている。
【０００３】
このＳＴＢ自動録画においては、ＳＴＢからの映像音響信号は、ＳＴＢの外部出力と録画再生装置の外部入力端子との間を接続する信号線を介して、録画再生装置に供給される。また、ＳＴＢからのＲ／Ｃ信号は、ＳＴＢに備えられているＲ／Ｃ信号出力部（例えば、ビデオマウス等）から無線出力される。
【０００４】
そして、このＳＴＢから無線出力されたＲ／Ｃ信号は、録画再生装置に付属され、録画，再生等といった各種操作を行うためのリモコン操作部（リモコン通信機）から無線出力されるＲ／Ｃ信号受信用に、録画再生装置に備えられているＲ／Ｃ受信部によって受信され、録画再生装置に供給される。
【０００５】
このＳＴＢ自動録画を行う場合は、ＳＴＢ側で録画を行いたい番組のタイマー予約録画を設定しておき、録画再生装置側では、ＳＴＢ自動録画を設定し、録画再生装置をＳＴＢ自動録画待機状態にしておく。
【０００６】
なお、録画再生装置は、ＳＴＢ自動録画が設定され、ＳＴＢ自動録画待機状態になると、付属のリモコン操作部を用いて当該録画再生装置内のチューナ及びタイマーによるタイマー予約録画が設定された場合と同様に、例えば、録画／再生部等の電源は切断されるものの、これらを作動制御する制御部は通電されたままの状態になる。
【０００７】
これにより、例えば、ＳＴＢ側では、タイマー予約録画された番組の予約録画開始時刻が近づくと、録画したい番組を放送するチャンネルの受信が開始されるとともに、そのＲ／Ｃ信号出力部からは電源ＯＮ／ＯＦＦ信号に対応するＲ／Ｃ信号が送信される。ＳＴＢ自動録画待機状態が設定されている録画再生装置では、このＳＴＢからの電源ＯＮ／ＯＦＦ信号に対応するＲ／Ｃ信号をＲ／Ｃ受信部で受信すると、通電状態の制御部が、ＳＴＢ自動録画待機状態が設定されたときに電源切断状態になっている録画／再生部等への通電を行い、ＳＴＢから外部入力端子に供給される映像音響信号の録画準備が行われる。
【０００８】
その後、タイマー予約録画された予約録画開始時刻になると、ＳＴＢのＲ／Ｃ信号出力部から録画信号（録画開始信号）に対応するＲ／Ｃ信号が送信され、録画再生装置では、この録画信号に対応するＲ／Ｃ信号をＲ／Ｃ受信部で受信すると、録画／再生部により外部入力端子に供給される映像音響信号の記録媒体に対する録画が開始される。
【０００９】
また、ＳＴＢによるタイマー予約録画と録画再生装置自身よるタイマー予約録画との関係は、ＳＴＢによるタイマー予約録画が録画再生装置自身よるタイマー予約録画に対し優先するようになっていた。これは、ＳＴＢから録画再生装置への指示が一方的なおのであるため、録画再生装置は、自身よるタイマー予約録画中であっても、ＳＴＢによるタイマー予約録画があれば、自身よるタイマー予約録画を中止する構成になっていた。
【特許文献１】
特開２０００−２５３３３８号公報
【００１０】
【発明が解決しようとする課題】
しかしながら、上述した従来のＳＴＢ自動録画機能を備えた録画再生装置においては、次に述べるような問題点があった。
【００１１】
例えば、録画再生装置をＳＴＢ自動録画待機状態に設定した後、付属のリモコン操作部を操作し、電源ＯＮ／ＯＦＦ信号に対応するＲ／Ｃ信号を送信してしまうと、録画再生装置の制御部は、このリモコン操作部からの電源ＯＮ／ＯＦＦ信号に対応するＲ／Ｃ信号をＳＴＢからの電源ＯＮ／ＯＦＦ信号と誤り、ＳＴＢ自動録画待機状態で電源切断状態になっている録画／再生部等に通電を行い、録画再生装置ではＳＴＢから供給される映像音響信号の録画準備が行われてしまう。この結果、その後、タイマー予約録画された番組の予約録画開始時刻が近づき、ＳＴＢから電源ＯＮ／ＯＦＦ信号に対応するＲ／Ｃ信号が送信されても、録画再生装置の制御部は、この電源ＯＮ／ＯＦＦ信号に対応するＲ／Ｃ信号によって、前述のリモコン操作部からの電源ＯＮ／ＯＦＦ信号に対応するＲ／Ｃ信号により通電がなされ録画準備状態になっている録画／再生部等の電源を切断してしまうので、その後にＳＴＢから録画信号（録画開始信号）に対応するＲ／Ｃ信号が送信されてきても、録画再生装置はＳＴＢから供給される映像音響信号の録画を行うことができなかった。
【００１２】
また、これとは逆に、ＳＴＢ自動録画が設定されていない録画再生装置の通常使用状態において、付属のリモコン操作部の操作に基づきその駆動部／表示部が録画／再生作動状態にある場合に、ＳＴＢ側からＳＴＢのタイマー予約録画に基づく電源ＯＮ／ＯＦＦ信号に対応するＲ／Ｃ信号が送信され、このＲ／Ｃ信号が録画再生装置によって受信されてしまうと、録画再生装置は録画／再生部等の電源を切断してしまい、リモコン操作部の操作に基づき現在行っている録画／再生作動状態が中断されてしまう。
【００１３】
さらに、装置本体に、例えばＶＣＲ（Ｖｉｄｅｏ  Ｃａｓｓｅｔｔｅ  Ｒｅｃｏｒｄｅｒ、いわゆるＶＴＲ：Ｖｉｄｅｏ  Ｔａｐｅ  Ｒｅｃｏｒｄｅｒ）とＨＤＤ（Ｈａｒｄ  Ｄｉｓｋ  Ｄｒｉｖｅ）といった、記録媒体（メディア）が異なる複数の録画／再生部（すなわち、第１の録画／再生部，第２の録画／再生部，・・・）を備えた複合機器構成の録画再生装置では、次のような問題点もあった。
【００１４】
例えば、第１の録画／再生部にＳＴＢ自動録画が設定されており、第２の録画／再生部は、ＳＴＢ自動録画が設定されておらず、付属のリモコン操作部の操作に基づく通常使用状態である場合、ＳＴＢからＳＴＢ側のタイマー予約録画により発信される電源ＯＮ／ＯＦＦ信号に対応するＲ／Ｃ信号を録画再生装置が受信すると、録画再生装置は、ＳＴＢ自動録画が設定されている第１の録画／再生部を通電するためのＲ／Ｃ信号であるのか、また、通常使用状態の第２の録画／再生部を通電又は通電遮断するためのＲ／Ｃ信号であるのか、そのままでは判別することができない。
【００１５】
したがって、このような複数の録画／再生部を備えた複合機器構成の録画再生装置を使用してＳＴＢ自動録画を行う場合は、ＳＴＢ自動録画させたい側の録画再生部に合わせて、ＳＴＢ自動録画の都度、ＳＴＢから送信される電源ＯＮ／ＯＦＦ信号，録画信号，停止信号等に対応するＲ／Ｃ信号のコード又はフォーマットを変更しなければならなかった。
【００１６】
また、上述した複数の録画／再生部を備えた複合機器構成の録画再生装置に限らず、ＳＴＢ自動録画機能を備えた録画再生装置によりＳＴＢ自動録画を行う場合には、次のような問題点もあった。
【００１７】
ＳＴＢからは、タイマー予約録画された番組の予約録画開始時刻が近づくと電源ＯＮ／ＯＦＦ信号に対応するＲ／Ｃ信号が送信されるが、通常、この電源ＯＮ／ＯＦＦ信号に対応するＲ／Ｃ信号は、タイマー予約録画された番組の予約録画開始時刻よりも数分前に送信出力される。そのため、ＳＴＢからの電源ＯＮ／ＯＦＦ信号に対応するＲ／Ｃ信号の送信後に、録画再生装置のＳＴＢ自動録画の設定がなされ、録画再生装置がＳＴＢ自動録画待機状態になっても、録画再生装置はＳＴＢ自動録画待機状態でＳＴＢからの電源ＯＮ／ＯＦＦ信号に対応するＲ／Ｃ信号の受信が行われないため、予約録画開始時刻になってＳＴＢから録画信号（録画開始信号）に対応するＲ／Ｃ信号が送信されても、これを無視して、ＳＴＢから既に出力済みの電源ＯＮ／ＯＦＦ信号に対応するＲ／Ｃ信号の受信を待ち続けることになってしまい、ＳＴＢによってタイマー予約録画された番組の記録が行われない。
【００１８】
さらにまた、内蔵タイマーによるタイマー予約録画機能を録画再生装置自体が備えている場合は、録画再生装置側で設定されたタイマー予約録画の予約録画開始時刻が、ＳＴＢ側で設定されたタイマー予約録画により録画再生装置がＳＴＢ自動録画待機状態になっている時間内であったり、ＳＴＢ側で設定されたタイマー予約録画の予約録画開始時刻と一致するときには、録画再生装置は、ＳＴＢからの録画信号に対応するＲ／Ｃ信号を無視して、ＳＴＢ自動録画に対し、内蔵タイマーによるタイマー予約録画を優先させて行う構成となっている。
【００１９】
そのため、このような場合では、内蔵タイマーによるタイマー予約録画実行中に、ＳＴＢ側でタイマー予約録画が設定されていたこと自体がわからず、内蔵タイマーによるタイマー予約録画終了後に、ＳＴＢ側のタイマー予約録画が部分的に可能であっても、録画再生装置はＳＴＢ自動録画を行うことができなかった。
【００２０】
本発明は、上述した問題点を鑑みなされたものであって、外部機器から出力されるＲ／Ｃ信号に基づき、外部機器から供給される映像音響信号を記録媒体に自動録画することができる録画再生装置に係り、その操作性及び利便性の向上をはかった録画再生装置を提供することを目的とする。
【００２１】
特に、ＳＴＢ自動録画機能を備えた録画再生装置に係り、ＳＴＢから送信されるＲ／Ｃ信号による録画再生装置の誤動作を防ぐとともに、ＳＴＢ自動録画機能のさらなる利便性をはかった録画再生装置を提供することを目的とする。
【００２２】
【課題を解決するための手段】
上記目的を達成するために、本発明の録画再生装置は、外部機器からの映像音響信号が入力される外部入力端子と、映像音響信号を記録媒体に記録するとともに、記録媒体に記録された映像音響信号を再生する録画／再生部と、該録画／再生部によって再生された映像音響信号を出力機器に出力する出力端子と、遠隔操作部及び前記外部機器から発信されるＲ／Ｃコードを受信するＲ／Ｃ受信部と、該Ｒ／Ｃ受信部によって受信されるＲ／Ｃコードに基づき、前記録画／再生部を作動制御する制御手段とを装置本体に備えている録画／再生装置であって、前記遠隔操作部に設けられ、前記録画／再生部を作動制御するためのＲ／Ｃコードに関して、前記外部機器から発信されるＲ／Ｃコードとデータ又はデータ形式を異ならせたＲ／Ｃコードを発信するＲ／Ｃコード発信手段と、前記制御部に設けられ、前記遠隔操作部のＲ／Ｃコード発信手段からのＲ／Ｃコードに基づく前記録画／再生部の作動中、又は前記遠隔操作部のＲ／Ｃコード発信手段からのＲ／Ｃコードの受信待機状態では、前記外部機器からの少なくとも一部のＲ／Ｃコードに基づく前記録画／再生部の作動を規制する外部機器Ｒ／Ｃコード規制手段とを備えていることを特徴とする。
【００２３】
また、本発明の録画再生装置は、外部機器からの映像音響信号が入力される外部入力端子と、映像音響信号を記録媒体に記録するとともに、記録媒体に記録された映像音響信号を再生する第１の録画／再生部と、映像音響信号を該第１の録画／再生部と同一もしくは異なるメディア形式の記録媒体に記録するとともに、該第１の録画／再生部と同一もしくは異なるメディア形式の記録媒体に記録された映像音響信号を再生する第２の録画／再生部と、該第１又は第２の録画／再生部によって再生された映像音響信号を出力機器に出力する出力端子と、遠隔操作部又は前記外部機器から発信されるＲ／Ｃコードを受信するＲ／Ｃ受信部と、該Ｒ／Ｃ受信部によって受信されるＲ／Ｃコードに基づき、前記第１及び第２の録画／再生部を作動制御する制御手段とを装置本体に備えている録画／再生装置であって、前記遠隔操作部に設けられ、前記第１及び第２の録画／再生部を作動制御するためのＲ／Ｃコードに関して、前記外部機器から発信されるＲ／Ｃコードとデータ又はデータ形式を異ならせ、作動制御対象として前記第１又は第２の録画／再生部の中の一方を指定してＲ／Ｃコードを発信するＲ／Ｃコード発信手段と、前記制御手段に設けられ、前記遠隔操作部から該Ｒ／Ｃコード発信手段によって作動制御対象が指定したＲ／Ｃコードが受信された場合は、作動制御対象として指定された録画／再生部のみを当該Ｒ／Ｃコードに基づき作動制御する選択作動制御手段とを備えていることを特徴とする。
【００２４】
また、本発明の録画再生装置は、外部機器からの映像音響信号が入力される外部入力端子と、映像音響信号を記録媒体に記録するとともに、記録媒体に記録された映像音響信号を再生する録画／再生部と、該録画／再生部によって再生された映像音響信号を出力機器に出力する出力端子と、遠隔操作部又は前記外部機器から発信されるＲ／Ｃコードを受信するＲ／Ｃ受信部と、該Ｒ／Ｃ受信部によって受信されるＲ／Ｃコードに基づき、前記録画／再生部を作動制御する制御手段とを装置本体に備えてなる録画／再生装置であって、前記遠隔操作部又は装置本体に備えられ、前記録画／再生部による前記外部機器からの映像音響信号の記録を前記制御手段に設定する外部機器録画設定手段と、前記制御手段に設けられ、該外部機器録画設定手段による前記外部機器録画待機状態においては、前記外部機器からのＲ／Ｃコードが指定する作動状態を前記録画／再生部の現在状態に応じて遷移させる指定作動状態遷移手段とを備えていることを特徴とする。
【００２５】
また、本発明の録画再生装置は、外部機器からの映像音響信号が入力される外部入力端子と、映像音響信号を記録媒体に記録するとともに、記録媒体に記録された映像音響信号を再生する録画／再生部と、該録画／再生部によって再生された映像音響信号を出力機器に出力する出力端子と、遠隔操作部又は前記外部機器から発信されるＲ／Ｃコードを受信するＲ／Ｃ受信部と、該Ｒ／Ｃ受信部によって受信されるＲ／Ｃコードに基づき、前記録画／再生部を作動制御する制御手段とを装置本体に備えてなる録画／再生装置であって、前記制御手段には、前記遠隔操作部から発信されたＲ／Ｃコードに基づく前記録画／再生部の録画作動中、前記Ｒ／Ｃ受信部によって受信される外部機器から発信されたＲ／Ｃコードを記憶する外部機器Ｒ／Ｃコード記憶手段と、前記遠隔操作部から発信されたＲ／Ｃコードに基づく前記録画／再生部の録画作動終了後、該外部機器Ｒ／Ｃコード記憶手段に記憶されている外部機器から発信されたＲ／Ｃコードに基づく前記録画／再生部の作動制御を開始させる遅延開始手段とを備えていることを特徴とする。
【００２６】
【発明の実施の形態】
以下、添付図面を参照しながら、本発明の録画再生装置の好適な実施の形態について説明する。
【００２７】
なお、本発明に係る録画再生装置の実施の形態を説明するに当たっては、まず第１の実施の形態による録画再生装置として、装置本体に複数の録画／再生部を備えた複合機器構成の録画再生装置を実施例に挙げ、説明する。
【００２８】
図１は、本発明の第１の実施の形態による録画再生装置の外観正面図である。本実施の形態の録画再生装置１は、その装置本体２内に、複数の録画／再生部１０が設けられている。
【００２９】
本実施の形態の録画再生装置１の装置本体２内には、この複数の録画／再生部１０として、ＶＣＲ１１からなる第１の録画／再生部と、ＤＶＤ（Ｄｉｇｉｔａｌ  Ｖｅｒｓａｔｉｌｅ  Ｄｉｓｋ）レコーダ１２からなる第２の録画／再生部とが設けられている。本実施の形態の場合では、ＤＶＤレコーダ１２は、供給された映像音響信号を、例えば、記録媒体としてのＤＶＤ−Ｒ（Ｄｉｇｉｔａｌ  Ｖｅｒｓａｔｉｌｅ  Ｄｉｓｃ  Ｒｅｃｏｒｄａｂｌｅ）ディスクにＶｉｄｅｏ方式によって、また、記録媒体としてのＤＶＤ−ＲＷ（Ｄｉｇｉｔａｌ  Ｖｅｒｓａｔｉｌｅ  Ｄｉｓｃ  Ｒｅｗｒｉｔａｂｌｅ）ディスクにＶＲ方式又はＶｉｄｅｏ方式によって記録可能な構成になっている。
【００３０】
図１において、装置本体２の正面の上側寄り部分には、第１の録画／再生部としてのＶＣＲ１１の記録媒体であるビデオカセットのカセット装填口３、第２の録画／再生部としてのＤＶＤレコーダ１２の記録媒体であるＤＶＤディスクのディスク装填用トレイ４が左右に分かれて配置されている。
【００３１】
また、装置本体２の正面の下側寄り部分には、中央に配置された表示／操作部５を挟んで左右両側に、ＶＣＲ１１の再生，停止，テープ取出しといった本体ＶＣＲ操作スイッチ２１と、ＤＶＤレコーダ１２の再生，停止，装填用のトレイ開／閉といった本体ＤＶＤ操作スイッチ２２とが配置され、さらに、この本体ＶＣＲ操作スイッチ２１に並べて側方に本体電源スイッチ２３と、下方に外部からの映像音響信号を録画再生装置１に取り込むための外部入力端子２４が配置されている。さらにまた、図示せぬ装置本体２の正面反対側の装置本体２の背面には、ＶＣＲ１１によって再生されたビデオカセットに記録された映像音響信号、又はＤＶＤレコーダ１２によって再生されたＤＶＤディスクに記録された映像音響信号を外部に出力するための外部出力端子２５（図２参照）が設けられている。
【００３２】
一方、前述の表示／操作部５には、中央にＶＣＲ／ＤＶＤ出力切換スイッチ２６が配置され、その両側にはそれぞれＬＣＤ（Ｌｉｑｕｉｄ  Ｃｒｙｓｔａｌ  Ｄｉｓｐｌａｙ）又はＥＬＤ（Ｅｌｅｃｔｒｏ  Ｌｕｍｉｎｅｓｃｅｎｃｅ  Ｄｉｓｐｌａｙ）等の表示パネルによって構成された一対の表示部２７，２８が設けられている。
【００３３】
さらに、この表示／操作部５には、録画再生装置１に付属のリモコン操作部６０（図２参照）から発信されるＲ／Ｃコードや、録画再生装置１に対する外部機器としてのＢＳチューナ，ＣＳチューナ等といったＳＴＢ９０（図２参照）から発信されるＲ／Ｃコードを受信するためのＲ／Ｃ信号受信部２９のＲ／Ｃ受光部２９ａ、ＶＣＲ１１，ＤＶＤレコーダ１２といった録画／再生部１０毎にＳＴＢ９０からのＲ／Ｃコードに基づくＳＴＢ自動録画を実行可能なＳＴＢ自動録画待機状態を設定／解除するためのＶＣＲ１１へのＳＴＢ自動録画機器選択スイッチ３０ａ及びＤＶＤレコーダ１２へのＳＴＢ自動録画機器選択スィッチ３０ｂが設けられている。
【００３４】
次に、図１により説明した録画再生装置１のシステム構成について、特に録画再生装置１に対する外部機器のＳＴＢ９０が接続されて設けられている状態のシステムについて、図２により説明する。
【００３５】
図２は、外部機器のＳＴＢが録画再生装置に接続されて設けられている状態のシステム構成図である。
なお、その説明にあたって、図１により説明した構成要素については、同一符号を付して説明する。
【００３６】
本実施の形態の録画再生装置１は、複数の録画／再生部１０としてのＶＣＲ１１，ＤＶＤレコーダ１２に加え、例えば、地上波テレビジョン放送を受信するためのチューナ部３１が装置本体２内に設けられ、リモコン操作部６０が装置本体２とは別体に設けられた構成になっている。
【００３７】
録画再生装置１の外部入力端子２４には、外部機器としてのＳＴＢ９０の外部出力９１が信号線８１を介して接続され、その外部出力９１から出力される映像音響信号が外部入力端子２４から取り込める構成になっている。
【００３８】
これに対し、録画再生装置１の外部出力端子２５には、表示出力部８５が信号線８２を介して接続されている。表示出力部８５は、例えば、ＰＤＰ（Ｐｌａｓｍａ  Ｄｉｓｐｌａｙ  Ｐａｎｅｌ），又はＬＣＤ（Ｌｉｑｕｉｄ  Ｃｒｙｓｔａｌ  Ｄｉｓｐｌａｙ）等からなる表示部８６と、スピーカ部８７とが設けられ、録画再生装置１からの供給される映像音響信号を、表示信号と音声信号とに変換し、表示部８６に表示出力し、スピーカ部８７より音声出力する。
【００３９】
ところで、チューナ部３１は、後述する制御部４０からの制御信号に基づいて、その起動／停止（電源ＯＮ／ＯＦＦ）に加え、その選局を制御される。
チューナ部３１から出力される映像音響信号は、外部入力端子２４から取り込んだＳＴＢ９０からの映像音響信号とともに、内部入力スイッチ部３２に供給される。
【００４０】
内部入力スイッチ部３２は、後述する制御部４０からの制御信号に基づいて、チューナ部３１からの映像音響信号、及びＳＴＢ９０からの映像音響信号を、第１の録画／再生部としてのＶＣＲ１１の録画入力、第２の録画／再生部としてのＤＶＤレコーダ１２の録画入力に振り分けて供給する。
【００４１】
ＶＣＲ１１，ＤＶＤレコーダ１２は、それぞれチューナ部３１と同様にして、後述する制御部４０からの制御信号に基づいて、その電源ＯＮ／ＯＦＦに加え、録画ポーズ（録画一時停止），録画開始，録画停止といった作動状態を制御される。
【００４２】
ＶＣＲ１１の再生出力，ＤＶＤレコーダ１２の再生出力は、外部出力スイッチ部３３に出力される。
外部出力スイッチ部３３は、後述する制御部４０からの制御信号に基づいて、ＶＣＲ１１の再生出力の映像音響信号、ＤＶＤレコーダ１２の再生出力の映像音響信号の中のいずれか一方を、ＯＳＤ（Ｏｎ  Ｓｃｒｅｅｎ  Ｄｉｓｐｌａｙ）信号合成部３５に選択的に供給する。
【００４３】
ＯＳＤ信号合成部３５は、ＯＳＤ信号生成部３４によってリモコン操作部６０の各種操作スイッチ６１の操作に合わせて適宜生成されたＯＳＤ信号を、外部出力スイッチ部３３から供給されるＶＣＲ１１の再生出力の映像音響信号又はＤＶＤレコーダ１２の再生出力の映像音響信号に合成し、この合成した映像音響信号を、外部出力端子２５を介して信号線８２によって接続された表示出力部８５の表示部８６に出力する。
【００４４】
ＯＳＤ信号生成部３４は、次に述べる制御部からの制御信号に基づいて、後述のリモコン操作部６０に設けられた録画再生装置１の各種操作スイッチ６１の操作内容に対応させて、次操作又は設定内容の確認情報等の各種操作情報についての映像音響信号を生成し、ＯＳＤ信号合成部３５に出力する。
【００４５】
制御部４０は、装置本体２に設けられたＳＴＢ自動録画機器選択スイッチ３０等の操作出力や、Ｒ／Ｃ信号受信部２９を介して受信される、リモコン操作部６０に設けられた各種操作スイッチ６１の操作に基づきリモコン操作部６０から送信されるＲ／Ｃ信号、及びＳＴＢ９０側で設定したタイマー予約録画に関連してＳＴＢ９０から送信されるＲ／Ｃ信号に基づき、装置本体２に設けられたＶＣＲ１１，ＤＶＤレコーダ１２，チューナ部３１，ＯＳＤ信号生成部３４等といった録画再生装置１の前述した各部の作動を制御する。
【００４６】
制御部４０は、ＣＰＵ，ＲＯＭ，ＲＡＭ，タイマー等を備えたマイクロコンピュータによって構成されている。
一方、リモコン操作部６０は、録画再生装置１の各種操作を指定／指示するための各種操作スイッチ６１、ユーザによる各種操作スイッチ６１の操作内容等を表示するためのＬＣＤ等によって構成された表示部６２、各種操作スイッチ６１の中のいずれか操作スイッチが操作されると、この操作スイッチに対応したＲ／ＣコードからなるＲ／Ｃ信号を例えば赤外線無線によって送信出力するＲ／Ｃ信号発信部６３、等を備えている。
【００４７】
なお、図２においては、多々の操作スイッチからなる各種操作スイッチ６１の中、説明簡略のため、電源スイッチ６６，ＶＴＲ／ＤＶＤリモコン切換スイッチ６７，ＶＴＲ／ＤＶＤ出力切換スイッチ６８，タイマー予約録画の設定の際に利用され、チューナの選局のための操作スイッチ等をも含んだ複数の関係操作スイッチによって構成されるタイマー予約録画設定スイッチ６９，タイマー予約録画の設定内容を確認するための予約確認スイッチ７０，ＶＣＲ操作スイッチ７１，ＤＶＤ操作スイッチ７２，これら各スイッチの操作に基づき表示出力部８５の表示部８６画面上にＯＳＤ表示される情報を選択したり、登録したりする場合等に利用される上下／左右の方向スイッチ７３ｕ，７３ｄ，７３ｌ，７３ｒ，決定スイッチ７４，ＳＴＢ自動録画機器設定スイッチ７５が示されている。
【００４８】
そして、電源スイッチ６６，ＶＴＲ／ＤＶＤ出力切換スイッチ６８，ＶＣＲ操作スイッチ７１，ＤＶＤ操作スイッチ７２，ＳＴＢ自動録画機器設定スイッチ７５は、装置本体２に設けられた本体電源スイッチ２３，ＶＴＲ／ＤＶＤ出力切換スイッチ２６，本体ＶＣＲ操作スイッチ２１，本体ＤＶＤ操作スイッチ２２，ＳＴＢ自動録画機器選択スイッチ３０に対応している。
【００４９】
一方、ＳＴＢ９０は、例えば、ＢＳ（Ｂｒｏａｄｃａｓｔｉｎｇ  Ｓａｔｅｌｌｉｔｅ）チューナ，ＣＳ（Ｃｏｍｍｕｎｉｃａｔｉｏｎ  Ｓａｔｅｌｌｉｔｅ）チューナ，ＣＡＴＶ（Ｃａｂｌｅ  ＴＶ）チューナといった放送番組受信チューナを備えて構成されている。
【００５０】
本実施の形態の場合、このＳＴＢ９０は、放送番組を受信し、受信した映像音響信号を外部出力９１から出力する受信機能と、予め設定した所望の放送番組を自動的に受信するタイマー予約受信機能と、及びこのタイマー予約受信機能によって受信される所望の放送番組の映像音響信号を、外部の録画装置（この場合は、録画再生装置１）に記憶させるために、外部の録画装置に対して録画のためのＲ／Ｃ信号を出力して録画装置の作動制御を行う予約録画機能とを備えている。この予約録画機能におけるＲ／Ｃ信号は、例えばビデオマウスによって構成されたＲ／Ｃ信号発信部９２から赤外線無線によって送信出力される。
【００５１】
その際、Ｒ／Ｃ信号発信部９２から外部の録画装置に送信されるＲ／Ｃ信号のＲ／Ｃコードの例として、電源ＯＮ／ＯＦＦ信号に対応するＲ／Ｃ信号としての電源コード、録画開始信号に対応する録画コード、録画停止信号に対応する停止コードが送信出力される。
【００５２】
このＲ／Ｃ信号発信部９２から送信出力される電源コード，録画コード，停止コードそれぞれは、リモコン操作部６０において、電源スイッチ６６、ＶＣＲ操作スイッチ７１又はＤＶＤ操作スイッチ７２における録画スイッチ、停止スイッチをそれぞれ操作したときに、Ｒ／Ｃ信号発信部６３から送信出力されるＲ／Ｃ信号のＲ／Ｃコードに対応する。
【００５３】
ここで、録画の際に、ＳＴＢ９０のＲ／Ｃ信号発信部９２から送信出力される電源コード，録画コード，停止コードからなるＲ／Ｃ信号と、リモコン操作部６０のＲ／Ｃ信号発信部６３から送信出力される電源コード，録画コード，停止コードからなるＲ／Ｃ信号との構成関係について説明する。
【００５４】
一般に、ＳＴＢ９０のＲ／Ｃ信号発信部９２から送信出力される電源コード，録画コード，停止コードからなるＲ／Ｃ信号は、ＳＴＢ９０が取り付けられる録画装置の形式や機種、録画装置の製造メーカがある程度異なっていても対応できるように、予め定められている汎用的なデータ又はデータ形式のＲ／Ｃコードによって構成されている。
【００５５】
これに対し、本実施の形態の録画再生装置１では、そのリモコン操作部６０のＲ／Ｃ信号発信部６３は、上記説明したＳＴＢ９０のＲ／Ｃ信号発信部９２から送信出力される電源コード，録画コード，停止コードからなるＲ／Ｃ信号とは異なるデータ又はデータ形式のＲ／Ｃコードから構成される、電源コード，録画コード，停止コードからなるＲ／Ｃ信号を送信出力する構成になっている。
【００５６】
具体的には、録画再生装置１に対して同一の指示を示した電源コード，録画コード，停止コードであっても、リモコン操作部６０のＲ／Ｃ信号発信部６３から送信出力されるＲ／Ｃコードにおける電源コード，録画コード，停止コードを表すデータ内容部分のキーデータが、ＳＴＢ９０のＲ／Ｃ信号発信部９２から送信出力されるＲ／Ｃコードにおける電源コード，録画コード，停止コードを表すデータ内容部分のキーデータと異なる構成になっている。
【００５７】
したがって、録画再生装置１のＲ／Ｃ信号受信部２９では、同一の指示について２種類のＲ／Ｃコードが受信され、録画再生装置１の制御部４０は、この同一の指示についての２種類のＲ／Ｃコードから、当該指示のＲ／Ｃコードがリモコン操作部６０から送信されたものであるか、ＳＴＢ９０から送信されたもであるかを判別できる構成になっている。
【００５８】
そして、本実施の形態の録画再生装置１では、制御手段４０は、ＳＴＢ９０から送信されたＲ／Ｃコードをリモコン操作部６０から送信された場合の対応するＲ／Ｃコードに変換する機能を備えており、制御部４０は、Ｒ／Ｃ信号受信部２９によって受信されたＳＴＢ９０からのＲ／Ｃコードをリモコン操作部６０からの対応するＲ／Ｃコードに変換した後、この変換したＲ／Ｃコードに基づき、装置本体に設けられたＶＣＲ１１，ＤＶＤレコーダ１２，チューナ部３１等の作動を制御する。
【００５９】
本実施の形態の録画再生装置１は以上のように構成されるが、次に、この制御手段４０による制御構成について、録画再生装置１の作用とともに説明する。
その説明にあたっては、ＳＴＢ９０の予約録画機能を利用して、録画再生装置１でＳＴＢ自動録画を行う場合を例に説明する。
【００６０】
ユーザは、ＳＴＢ自動録画をＶＣＲ１１，ＤＶＤレコーダ１２の何れによって行うかを設定する。ただし、この何れには、ＶＣＲ１１とＤＶＤレコーダ１２の両方でＳＴＢ自動録画を実行する場合も含む。
【００６１】
例えば、ＶＣＲ１１にＳＴＢ自動録画を行わせたい場合、ユーザは、装置本体２のＳＴＢ自動録画機器選択スイッチ３０ａを操作してＶＣＲ１１を選択し、ＶＣＲ１１をＳＴＢ自動録画待機状態に設定する。
【００６２】
または、ユーザは、上述のようにＳＴＢ自動録画機器選択スイッチ３０ａを操作するのに代えて、リモコン操作部６０のＶＴＲ／ＤＶＤリモコン切換スイッチ６７をＶＣＲ（ＶＴＲ）１１側に操作して、対応するＲ／Ｃ信号をＲ／Ｃ信号発信部６３から送信する。
【００６３】
このＶＴＲ／ＤＶＤリモコン切換スイッチ６７の操作信号に対応するＲ／Ｃ信号が録画再生装置１のＲ／Ｃ信号受信部２９で受信されると、録画再生装置１の制御手段４０は、以降その設定が解除されるまで、リモコン操作部６０から送信される各種操作スイッチ６１の中の所定の操作スイッチに対応するＲ／Ｃ信号を、ＶＣＲ１１に関しての当該所定の操作スイッチに対応するＲ／Ｃ信号として取り扱う構成になっている。
【００６４】
ユーザは、このＶＴＲ／ＤＶＤリモコン切換スイッチ６７の操作によってＶＣＲ１１側の指定した後、ＳＴＢ自動録画機器設定スイッチ７５を操作する。
このＳＴＢ自動録画機器設定スイッチ７５の操作信号に対応するＲ／Ｃ信号が録画再生装置１のＲ／Ｃ信号受信部２９で受信されると、制御部４０は、ＶＣＲ１１をＳＴＢ自動録画待機状態に設定する。
【００６５】
これとともに、制御部４０は、内部入力スイッチ部３２をＶＣＲ（ＶＴＲ）１１の録画入力には外部入力端子２４から取り込まれるＳＴＢ９０からの映像音響信号が供給可能なように制御した上、ＶＣＲ１１を電源ＯＦＦにする。あわせて、制御部４０は、例えばそのワークエリアとしてＲＡＭ内に構成されている図示せぬ機器状態記憶部のＶＣＲ状態記憶部に“ＳＴＢ自動録画待機状態”を設定する。
なお、ＤＶＤレコーダ１２にＳＴＢ自動録画を行わせたい場合も、ユーザによる操作は上記したＶＣＲ１１の場合と同様であり、その説明は省略する。
【００６６】
そして、このようにＳＴＢ自動録画待機状態が複数の録画／再生部１０の中の一方のＶＣＲ１１に設定されると、録画再生装置１の制御部４０が、Ｒ／Ｃ信号受信部２９で受信したＲ／Ｃ信号について、そのＲ／Ｃ信号の発信元がリモコン操作部６０であるか、又はＳＴＢ９０であるかを判別し、ＳＴＢ９０である場合には、ＶＣＲ１１がＳＴＢ自動録画待機状態に設定されているので、ＳＴＢ９０より送信されたＲ／Ｃ信号に対応する処理をＶＣＲ１１に対して行う。
この後、ＳＴＢ９０から送信される電源コード，録画コード，停止コードの受信に基づき、例えば、ＶＣＲ１１を次のように作動制御する。
【００６７】
ＳＴＢ９０から、タイマー予約録画された番組の予約録画開始時刻が近づき、電源コードのＲ／Ｃ信号を受信すると、通電状態の制御部４０が、ＳＴＢ自動録画待機状態が設定されたときに電源切断状態になっているＶＣＲ１１への通電を行い、ＳＴＢ９０から外部入力端子２４に供給される映像音響信号の録画準備が行われる。その際、ＶＣＲ１１は、録画ポーズ状態に作動制御され、ＲＡＭ内に構成されている図示せぬ機器状態記憶部のＶＣＲ現在状態記憶部に“ＳＴＢ自動録画準備”を設定する。
【００６８】
その後、ＳＴＢ９０から、タイマー予約録画された予約録画開始時刻になり、録画コードのＲ／Ｃ信号を受信すると、制御部４０は、ＶＣＲ１１にＳＴＢ９０から外部入力端子２４に供給される映像音響信号のビデオカセットへの録画を開始させる。その際、ＲＡＭ内機器状態記憶部のＶＣＲ現在状態記憶部には、“ＳＴＢ自動録画準備”に代えて“ＳＴＢ自動録画中”を設定する。
【００６９】
また、ＶＣＲ１１によるＳＴＢ自動録画中、ＳＴＢ９０から、例えば番組途中のコマーシャルの開始に対応させて停止コードのＲ／Ｃ信号を受信すると、制御部４０は、ＶＣＲ１１にＳＴＢ９０から外部入力端子２４に供給される映像音響信号のビデオカセットへの録画を一旦終了させて、録画ポーズ状態に作動制御する。その際、ＲＡＭ内機器状態記憶部のＶＣＲ現在状態記憶部には、“ＳＴＢ自動録画中”に代えて“ＳＴＢ自動録画準備”を設定する。なお、この際、制御部４０は、ＶＣＲ１１を電源ＯＦＦせず、例えばコマーシャルが終了し、ＳＴＢ９０から、再開された番組録画のために送信されてくる録画コードのＲ／Ｃ信号の受信にＶＣＲ１１を備えさせる。
【００７０】
そして、ＳＴＢ９０から、タイマー予約録画された予約録画終了時刻になり、電源コードのＲ／Ｃ信号を受信すると、制御部４０は、ＶＣＲ１１にＳＴＢ９０から外部入力端子２４に供給される映像音響信号のビデオカセットへの録画を終了させた後、ＶＣＲ１１を電源ＯＦＦに作動制御する。その際、ＲＡＭ内の機器状態記憶部のＶＣＲ現在状態記憶部を“ＳＴＢ自動録画中”から  “ＳＴＢ自動録画待機状態”に更新し、ＶＣＲ１１のＳＴＢ自動録画待機状態を継続する。
【００７１】
図３は、録画再生装置の制御部が行うＲ／Ｃ信号受信部によるＲ／Ｃ信号の受信処理の一例を示したフローチャートである。
録画再生装置１の制御部４０は、Ｒ／Ｃ信号受信部２９によりＲ／Ｃ信号を受信すると（ステップＳ１００１）、そのＲ／Ｃ信号のデータ又はデータ形式の違いに基づき、受信されたＲ／Ｃ信号が、リモコン操作部６０から送信されてきたものか、ＳＴＢ９０から送信されてきたものかを判別する（ステップＳ１００２）。
【００７２】
制御部４０は、受信されたＲ／Ｃ信号が、リモコン操作部６０から送信されてきたＲ／Ｃ信号である場合には（ステップＳ１００３）、このＲ／Ｃ信号のＲ／Ｃコードに対応する処理を行う（ステップＳ１００４）。
【００７３】
これに対し、制御部４０は、受信されたＲ／Ｃ信号が、ＳＴＢ９０から送信されてきたＲ／Ｃ信号である場合には（ステップＳ１００３）、第１の録画／再生部としてＶＣＲ１１、第２の録画／再生部としてのＤＶＤレコーダ１２の何れかがＳＴＢ自動録画待機状態になっているか否かを確認した後（ステップＳ１００５，Ｓ１００６）、ＳＴＢ待機状態になっていれば、受信されたＲ／Ｃ信号に対応するＳＴＢ自動録画処理を行う一方（ステップＳ１００７，Ｓ１００８）、ＳＴＢ自動録画待機状態になっていなければ、受信されたＲ／Ｃ信号は無視する。
【００７４】
以上、本実施の形態の録画再生装置１によれば、録画再生装置１に設けられたＶＣＲ１１又はＤＶＤレコーダ１２の何れにＳＴＢ自動録画を実行させたいかを選択することができるとともに、録画再生装置１が受信したＲ／Ｃ信号が、ＳＴＢ９０から送信されてきたＲ／Ｃ信号か、ユーザが操作したＲ／Ｃ信号かが判別可能となるため、ＳＴＢ自動録画待機状態以外の録画／再生部１０では、ＳＴＢ９０からのＲ／Ｃ信号を無効とすることが可能となり、誤動作の発生を防ぐことができる。
【００７５】
次に、本発明の第２の実施の形態による録画再生装置１０１について、図面とともに説明する。
図４は、本発明の第２の実施の形態による録画再生装置の外観正面図である。図５は、外部機器のＳＴＢが録画再生装置に接続されて設けられている状態のシステム構成図である。
【００７６】
なお、本実施の形態による録画再生装置１０１は、前述した第１の実施の形態の録画再生装置１と異なり、装置本体２に複数の録画／再生部１０を備えず、一の録画／再生部１０を備えていることが異なる。
【００７７】
録画再生装置１０１は、図４及び図５に示すように、一の録画／再生部１０として、例えばＤＶＤレコーダ１２を備えているものとする。
そのため、図４に示す本実施の形態による録画再生装置１０１の外観正面においては、カセット装填口３、本体ＶＣＲ操作スイッチ２１、及びＶＴＲ／ＤＶＤ出力切換スイッチ２６が設けられていないことが、図１に示した第１の実施の形態による録画再生装置１の構成と異なる。
【００７８】
また、図５に示す本実施の形態による録画再生装置１０１のシステム構成においては、装置本体２に、ＶＣＲ１１、外部出力スイッチ部３３が設けられておらず、ＳＴＢ自動録画機器選択スイッチ３０が機器選択機能を有せず、ＳＴＢ自動録画設定／解除機能のみを備えていることが、図２に示した第１の実施の形態による録画再生装置１の構成と異なる。
【００７９】
また、リモコン操作部６０についても、各種操作スイッチ６１の中、ＶＴＲ／ＤＶＤリモコン切換スイッチ６７，ＶＴＲ／ＤＶＤ出力切換スイッチ６８，ＶＣＲ操作スイッチ７１が備えられていないことが、図２に示した第１の実施の形態によるリモコン操作部６０の構成と異なる。
【００８０】
本実施の形態による録画再生装置１０１の上述した以外の構成については、図１に示した第１の実施の形態による録画再生装置１と同一又は同様構成にき、同一符号を付し、その詳細な説明は省略する。
上述の如くに構成された録画再生装置１０１によるＳＴＢ自動録画処理について図面とともに説明する。
【００８１】
図６は、録画再生装置の制御部が行うＳＴＢ自動録画処理の概念を示したフローチャートである。
なお、図６においては、本実施の形態の録画再生装置１０１にあっても、第１の実施の形態による録画再生装置１と同様に、録画再生装置１０１の制御部４０は、Ｒ／Ｃ信号受信部２９で受信されたＲ／Ｃ信号について、リモコン操作部６０から送信されたものであるか、又はＳＴＢ９０から送信されたもであるか判別できる構成になっているため、ＳＴＢ９０から送信されてきたＲ／Ｃ信号に対し、制御部４０が行う処理だけを示し、リモコン操作部６０からのＲ／Ｃ信号に対し、制御部４０が行う処理については省略されている。
【００８２】
図６において、録画再生装置１の制御部４０は、ＳＴＢ自動録画処理として、ＳＴＢ自動録画機器選択スイッチ３０又はＳＴＢ自動録画機器設定スイッチ７５のスイッチ入力の有無（ステップＳ２１００）、ＳＴＢ９０からの電源コードのＲ／Ｃ信号の受信の有無（ステップＳ２２００）、ＳＴＢ９０からの録画コードのＲ／Ｃ信号の受信の有無（ステップＳ２３００）、ＳＴＢ９０からの停止コードのＲ／Ｃ信号の受信の有無（ステップＳ２４００）それぞれ監視している。
【００８３】
制御部４０は、ステップＳ２１００で、ＳＴＢ自動録画機器選択スイッチ３０又はＳＴＢ自動録画機器設定スイッチ７５のスイッチ入力（すなわち、ユーザによるスイッチ操作）を確認したときには、ＳＴＢ自動録画待機状態が設定されているか否かを確認し（ステップＳ２１１０）、ＳＴＢ自動録画待機状態が設定されていない場合には、ＳＴＢ自動録画待機状態を設定し、録画／再生部１０としてのＤＶＤレコーダ１２を電源ＯＦＦし（ステップＳ２１２０）、ＳＴＢ自動録画待機状態が設定されている場合は、ＳＴＢ自動録画待機状態を設定解除し、ＤＶＤレコーダ１２を電源ＯＦＦする。
【００８４】
制御部４０は、ステップＳ２２００で、ＳＴＢ９０からの電源コードのＲ／Ｃ信号が受信された場合は、ＳＴＢ自動録画待機状態が設定されていなければ（ステップＳ２２１０）、電源コードのＲ／Ｃ信号を無視し、ＳＴＢ自動録画待機状態が設定されていれば、次の処理を行う。
【００８５】
制御部４０は、ＳＴＢ自動録画中であるか否か確認し（ステップＳ２２２０）、ＳＴＢ自動録画中でなければ、ＳＴＢ９０からの録画コードのＲ／Ｃ信号の受信に備えて、ＤＶＤレコーダ１２を電源ＯＮし、録画ポーズにすることによってＳＴＢ自動録画準備状態に設定し（ステップＳ２２３０）、ＳＴＢ自動録画中であれば、ＳＴＢ９０によるタイマー予約録画の終了として、ＤＶＤレコーダ１２によるＳＴＢ自動録画を終了させ、ＳＴＢ自動録画中状態を解除しＳＴＢ自動録画待機状態を継続したまま、ＤＶＤレコーダ１２を電源ＯＦＦする（ステップＳ２２４０）。
【００８６】
ここで、ＤＶＤレコーダ１２が電源ＯＦＦ状態での、電源コードのＲ／Ｃ信号の受信にて、ＤＶＤレコーダ１２を電源ＯＮするだけではなく、録画ポーズとするのは、ＳＴＢ９０が電源コードのＲ／Ｃ信号送信から録画コードのＲ／Ｃ信号送信までの間隔が短い場合、ＤＶＤレコーダ１２の録画準備開始が遅れ、録画したい番組の先頭部分を録画できない場合が生じるのを防ぐためである。
【００８７】
このため、いち早く、ＤＶＤレコーダ１２を録画ポーズとすることで、ＤＶＤレコーダ１２に録画準備を開始させ、次に受信するであろう録画コードＲ／Ｃ信号にて、遅滞なく録画を開始できるようにするためである。
【００８８】
制御部４０は、ステップＳ２３００で、ＳＴＢ９０からの録画コードのＲ／Ｃ信号が受信された場合は、ＳＴＢ自動録画待機状態が設定されていなければ（ステップＳ２２１０）、録画コードのＲ／Ｃ信号を無視し、ＳＴＢ自動録画待機状態が設定されていれば、次の処理を行う。
【００８９】
制御部４０は、ＳＴＢ自動録画準備状態であるか否か確認し（ステップＳ２３２０）、ＳＴＢ自動録画準備状態でなければ、ＳＴＢ９０からその前に送信された電源コードのＲ／Ｃ信号がスイッチ３０又はスイッチ７５の操作に基づくＳＴＢ自動録画待機状態の設定の遅れによって無視されてしまったものと推定し、ＤＶＤレコーダ１２を電源ＯＮし、ＤＶＤレコーダ１２によるＳＴＢ自動録画を速やかに開始させる（ステップＳ２３３０）。
【００９０】
図７は、このような理由によって、ＳＴＢ自動録画待機状態の設定がＳＴＢからの電源コードのＲ／Ｃ信号の送信に対して遅れた場合の、ＤＶＤレコーダの作動を示したタイミングチャートである。
図７に示すように、このような場合であっても、ＳＴＢ９０が期待したタイミングで、ＤＶＤレコーダ１２のＳＴＢ自動録画を開始させることができる。
【００９１】
これに対し、ステップＳ２３２０でＳＴＢ自動録画準備状態であれば、ＳＴＢ自動録画待機状態において、ＳＴＢ９０からの録画コードのＲ／Ｃ信号の受信が問題なく行われている状態であるから、制御部４０は、録画ポーズ状態になっているＤＶＤレコーダ１２によるＳＴＢ自動録画を開始させ、ＳＴＢ自動録画中状態を設定する（ステップＳ２３４０）。
【００９２】
制御部４０は、ステップＳ２４００で、ＳＴＢ９０からの停止コードのＲ／Ｃ信号が受信された場合は、ＳＴＢ自動録画待機状態が設定されていなければ（ステップＳ２４１０）、停止コードのＲ／Ｃ信号を無視し、ＳＴＢ自動録画待機状態が設定されていれば、次の処理を行う。
【００９３】
一方、ステップＳ２４１０でＳＴＢ自動録画待機状態であれば、制御部４０は、ＳＴＢ自動録画準備状態であるか否か確認し（ステップＳ２４２０）、ＳＴＢ自動録画準備状態でなければ、ＤＶＤレコーダ１２を電源ＯＮし、録画ポーズ状態にした上、ＳＴＢ自動録画準備状態を設定する（ステップＳ２４３０）。
【００９４】
以上、本実施の形態の録画再生装置１０１によれば、録画／再生部１０としてのＤＶＤレコーダ１２のＳＴＢ自動録画に係る状態とＳＴＢ９０からのＲ／Ｃ信号の受信との関係がちぐはぐな状態であっても、録画コードや停止コードを受信することで、自動的に、ちぐはぐな状態から、正常な状態（通常の関係状態）に復帰することが可能となる。
【００９５】
また、第１の実施の形態による録画再生装置１と同様に、本実施の形態の録画再生装置１０１も、ＳＴＢ自動録画待機状態以外における、ＳＴＢ９０からのＲ／Ｃ信号を無効とする（無視する）ことが可能となり、誤動作の発生を防ぐことができる。
【００９６】
なお、本実施の形態の録画再生装置１０１において、図５に示した内部入力スイッチ部３２によるＤＶＤレコーダ１２の録画入力の外部入力端子２４に対する接続切り換えは、ＳＴＢ自動録画待機状態が設定されたタイミングで行ってもよく、ＳＴＢ自動録画準備状態が設定されたタイミングで行ってもよい。
【００９７】
また、説明を省略したが、ＳＴＢ自動録画待機状態、ＳＴＢ自動録画準備状態、ＳＴＢ自動録画中状態のそれぞれ設定／設定解除は、制御部４０内のＲＡＭに更新記録される。
【００９８】
さらに、本実施の形態の録画再生装置１０１は、一のＤＶＤレコーダ１２からなる録画／再生部１０を備えた構成としたが、録画／再生部１０はＤＶＤレコーダ１２に限ることはなく、また、録画／再生部１０を複数備えた、例えば、前述の第１の実施の形態による録画再生装置１の場合であっても、適用可能である。
【００９９】
次に、本発明の第３の実施の形態による録画再生装置２０１について、図面とともに説明する。
なお、本実施の形態による録画再生装置２０１は、その録画再生装置の正面外観、及び外部機器のＳＴＢが録画再生装置に接続されて設けられている状態のシステム構成は、前述した第２の実施の形態による録画再生装置１０１と同一なので、その図示及び説明は省略し、録画再生装置２０１の各部については、同一符号を用いて説明する。
【０１００】
本実施の形態による録画再生装置２０１の構成は、図５に示した制御部４０が、ＳＴＢ自動録画機器選択スイッチ３０又はＳＴＢ自動録画機器設定スイッチ７５のスイッチ入力によるＳＴＢ自動録画待機状態が設定されている場合は、制御部４０が、リモコン操作部６０に設けられたタイマー予約録画設定スイッチ６９の操作に基づいて、ＤＶＤレコーダ１２がチューナ部３１から供給される映像音響信号をタイマー予約録画実行中であっても、その間ＳＴＢ９０から送信されてくるＲ／Ｃ信号をＲＡＭに形成されたＲ／Ｃコード記憶部に保存蓄積できることが、第２の実施の形態による録画再生装置１０１の構成に対して異なっている。また、制御部４０は、上記タイマー予約録画終了後に、Ｒ／Ｃコード記憶部に保存蓄積されているＳＴＢ９０から最新に送信されてきたＲ／Ｃ信号に基づいて、図６のフローチャートに示したＳＴＢ自動録画処理を実行する構成となっていることが、第２の実施の形態による録画再生装置１０１の構成に対して異なっている。
【０１０１】
したがって、本実施の形態の録画再生装置２０１では、その制御部４０は、ＳＴＢ自動録画待機状態にあっても、録画再生装置２０１自体で設定されたタイマー予約録画の予約録画開始時刻になったならば、そのタイマー予約録画を実行する。
【０１０２】
このタイマー予約録画の実行と並行して、制御部４０は、このタイマー予約録画の実行中の間に、ＳＴＢ９０から送信されてきたＲ／Ｃ信号を受信した場合は、実際にＳＴＢ自動録画処理を開始しなくても、Ｒ／Ｃコード記憶手段において、受信したＲ／Ｃコードを保持しておき、このタイマー予約録画の終了後等、ＳＴＢ自動録画が可能な状態になった時に、Ｒ／Ｃコード記憶手段に保持しておいた  最新のＲ／Ｃ信号に従って、図６に示したＳＴＢ自動録画処理を行う。
【０１０３】
そして、制御部４０は、このＲ／Ｃコード記憶手段に保持しておいたＳＴＢ９０から送信されてきたＲ／Ｃ信号が録画コードや停止コードである場合、すなわちＳＴＢ自動録画が未だ終了していない場合には、タイマー予約録画終了後、ユーザが録画再生装置２０１によってＳＴＢ自動録画が開始されることが理解できるように、表示部２７，２８に、例えば「ＳＴＢ自動録画実行予定」と表示させたり、表示出力部８５の表示部８６に同様の趣旨をＯＳＤ表示させる。
【０１０４】
図８は、録画再生装置がタイマー予約録画の実行中に、ＳＴＢが録画コードのＲ／Ｃ信号を送信してきた場合のタイミングチャートを示したものである。
図９は、録画再生装置がタイマー予約録画の実行中に、ＳＴＢが録画コードのＲ／Ｃ信号を送信してきたのに続いて、停止コードのＲ／Ｃ信号を送信してきた場合のタイミングチャートを示したものである。
【０１０５】
図８に示すように、録画再生装置２０１の制御部４０が、タイマー予約録画の実行中に、ＳＴＢ９０が録画コードのＲ／Ｃ信号を送信してきた場合は、タイマー予約録画終了後に、制御部４０はＳＴＢ自動録画処理を、録画コードのＲ／Ｃ信号の受信（図６におけるステップＳ２３００が対応）から開始する。
【０１０６】
また、図９に示すように、録画再生装置２０１の制御部４０が、タイマー予約録画の実行中に、ＳＴＢ９０が録画コードのＲ／Ｃ信号を送信してきたのに続いて、停止コードのＲ／Ｃ信号を送信してきた場合は、タイマー予約録画終了後に、制御部４０はＳＴＢ自動録画処理を、ＳＴＢ９０が最新に送信してきた停止コードのＲ／Ｃ信号の受信（図６におけるステップＳ２４００が対応）から開始する。
【０１０７】
なお、Ｒ／Ｃコード記憶部は、ＳＴＢ９０が送信してくるＲ／Ｃ信号を全て蓄積する構成であっても、ＳＴＢ９０がＲ／Ｃ信号を送信してくる毎に、先に受信したＲ／Ｃ信号に代えて新たに受信したＲ／Ｃ信号を更新記録する構成であってもよい。
【０１０８】
以上、本実施の形態の録画再生装置２０１によれば、ＳＴＢ９０からの録画コードのＲ／Ｃ信号を受信したタイミングではＳＴＢ自動録画を開始できなかった場合でも、その後の録画／再生部１０としてのＤＶＤレコーダ１２がＳＴＢ自動録画が可能な状態となった後に、ＳＴＢ自動録画が速やかに自動的に開始されるため、ユーザにとって、タイマー予約録画の実行とＳＴＢ自動録画の開始が重なってしまっても、全くＳＴＢ自動録画を行えなかった、という事態は極力回避できる。具体的には、通常、タイマー予約録画の終了時刻とＳＴＢ自動録画の開始時刻が僅か数秒間でも一致している場合は、ＳＴＢ自動録画が全く実行されなかったが、ＳＴＢ自動録画の開始時刻のタイミングのずれだけで、ＳＴＢ自動録画を行うことができる。
また、ＳＴＢ自動録画が開始されるか否かが判断可能なように、表示部２７に表示を行うことで、ユーザの不安を取り除くことが可能となる。
【０１０９】
【発明の効果】
以上のように、本発明の録画再生装置によれば、録画再生装置が複数の録画／再生部を備えるものであっても、複数の録画／再生部の何れに外部機器自動録画（ＳＴＢ自動録画）を実行させたいかを選択することができるとともに、録画再生装置が外部機器から受信したＲ／Ｃ信号が、外部機器から送信されてきたＲ／Ｃ信号か、ユーザが操作した録画再生装置の遠隔操作部からのＲ／Ｃ信号かが判別可能となるため、外部機器自動録画待機状態以外の録画／再生部では、外部機器からのＲ／Ｃ信号を無効とすることが可能となり、誤動作の発生を防ぐことができる。
【０１１０】
また、本発明の録画再生装置によれば、録画／再生部の外部機器自動録画に係る状態と外部機器からのＲ／Ｃ信号の受信との関係がちぐはぐな状態であっても、録画コードのＲ／Ｃ信号や停止コードのＲ／Ｃ信号を受信することで、自動的に、ちぐはぐな状態から、正常な状態（通常の関係状態）に復帰することが可能となる。
【０１１１】
また、本発明の録画再生装置によれば、外部機器からの録画コードのＲ／Ｃ信号を受信したタイミングでは外部機器自動録画を開始できなかった場合でも、その後の録画／再生部が外部機器自動録画が可能な状態となった後に、外部機器自動録画が速やかに自動的に開始されるため、ユーザにとって、タイマー予約録画の実行と外部機器自動録画の開始が重なってしまっても、全く外部機器自動録画を行えなかった、という事態は極力回避できる。具体的には、通常、タイマー予約録画の終了時刻と外部機器自動録画の開始時刻が僅か数秒間でも一致している場合は、外部機器自動録画が全く実行されなかったが、外部機器自動録画の開始時刻のタイミングのずれだけで、外部機器自動録画を行うことができる。
また、外部機器自動録画が開始されるか否かが判断可能なように、表示部に表示を行うことで、ユーザの不安を取り除くことが可能となる。
【図面の簡単な説明】
【図１】本発明の第１の実施の形態による録画再生装置の外観正面図である。
【図２】外部機器のＳＴＢが録画再生装置に接続されて設けられている状態のシステム構成図である。
【図３】録画再生装置の制御部が行うＲ／Ｃ信号受信部によるＲ／Ｃ信号の受信処理の一例を示したフローチャートである。
【図４】本発明の第２の実施の形態による録画再生装置の外観正面図である。
【図５】外部機器のＳＴＢが録画再生装置に接続されて設けられている状態のシステム構成図である。
【図６】録画再生装置の制御部が行うＳＴＢ自動録画処理の概念を示したフローチャートである。
【図７】ＳＴＢ自動録画待機状態の設定がＳＴＢからの電源コードのＲ／Ｃ信号の送信に対して遅れた場合の、ＤＶＤレコーダの作動を示したタイミングチャートである。
【図８】本発明の第３の実施の形態による録画再生装置がタイマー予約録画の実行中に、ＳＴＢが録画コードのＲ／Ｃ信号を送信してきた場合のタイミングチャートを示したものである。
【図９】本発明の第３の実施の形態による録画再生装置がタイマー予約録画の実行中に、ＳＴＢが録画コードのＲ／Ｃ信号を送信してきたのに続いて、停止コードのＲ／Ｃ信号を送信してきた場合のタイミングチャートを示したものである。
【符号の説明】
１，１０１  録画再生装置
２  装置本体
３  カセット装填口
４  ディスク装填用トレイ
５  表示／操作部
１０  録画／再生部
１１  ＶＣＲ
１２  ＤＶＤレコーダ
２１  本体ＶＣＲ操作スイッチ
２２  本体ＤＶＤ操作スイッチ
２３  本体電源スイッチ
２４  外部入力端子
２５  外部出力端子
２６  ＶＣＲ／ＤＶＤ出力切換スイッチ
２７  表示部
２８  表示部
２９  Ｒ／Ｃ信号受信部
２９ａ  Ｒ／Ｃ受光部
３０  ＳＴＢ自動録画機器選択スイッチ
３０ａ  ＶＣＲ用ＳＴＢ自動録画機器選択スイッチ
３０ｂ  ＤＶＤ用ＳＴＢ自動録画機器選択スイッチ
３１  チューナ部
３２  内部入力スイッチ部
３３  外部出力スイッチ部
３４  ＯＳＤ信号生成部
３５  ＯＳＤ信号合成部
４０  制御部
６０  リモコン操作部
６１  各種操作スイッチ
６２  表示部
６３  Ｒ／Ｃ信号発信部
６６  電源スイッチ
６７  ＶＣＲ／ＤＶＤリモコン切換スイッチ
６８  ＶＣＲ／ＤＶＤ出力切換スイッチ
６９  タイマー予約録画設定スイッチ
７０  予約確認スイッチ
７１  ＶＣＲ操作スイッチ
７２  ＤＶＤ操作スイッチ
７３  方向スイッチ
７４  決定スイッチ
７５  ＳＴＢ自動録画機器設定スイッチ
８１  信号線
８２  信号線
８５  表示出力部
８６  表示部
８７  スピーカ部
９０  ＳＴＢ
９１  外部出力
９２  Ｒ／Ｃ信号発信部
【図１】
2004236197.tif 000003
【図２】
2004236197.tif 000004
【図３】
2004236197.tif 000005
【図４】
2004236197.tif 000006
【図５】
2004236197.tif 000007
【図６】
2004236197.tif 000008
【図７】
2004236197.tif 000009
【図８】
2004236197.tif 000010
【図９】
2004236197.tif 000011